(57)【要約】【課題】本考案はショベルのネックにハンドルを設け、ショベルを使う時の身体的疲労を少なくする。【解決手段】本考案はショベルのネック１２にハンドル２０を取付け、ハンドル２０はネック１２の取付け部分で柄１３の長軸方向に自由に回転するようにしている。本考案のショベルを使う時にはネックを手で直接把持する必要はない。ハンドル２０のグリップ２１を把持することによりネックを手でぶら下げた形になるので手の疲労が少なくなり、また腰や膝を曲げ伸ばしする必要がなくなる。【選択図】図１
0003131201.tif 000002
【実用新案登録請求の範囲】
【請求項１】
木などの円柱の中心を通ったグリップの両端に接続された２本の肢が略平行を成して延長し、その２本の肢の先端部が互いに向合うように直角に曲げられたハンドル。
【請求項２】
ネックの両側に横方向に孔を設け、当該孔に請求項１のハンドルの先端の互いに向合うように直角に曲げられた部分を挿入してショベルに取付けることにより、当該ハンドルのグリップを把持した時に当該ハンドルがネックに取付けられた部を中心にショベルの柄の長軸方向に自由に回転する可動性を持たせ、一方の手で当該ハンドルのグリップを把持し、もう一方の手でショベルのエンドグリップを把持して使うことにより、腰や膝の曲げ伸ばしを少なくすることを可能ならしめ、土や雪を掬いまた運搬する作業を楽にならしめ、またショベルの携行を容易ならしめることを特徴とするショベル。
【考案の詳細な説明】
【技術分野】
【０００１】  本考案はネックにハンドルを取付けたショベルに関するものである。
【背景技術】
【０００２】  ショベルで土や雪を掬い、また運搬する時、一方の手でネックを把持し、もう一方の手でエンドグリップを把持して使っていた。このようにしてショベルを使用する時、土や雪を掬うために腰を曲げたり、膝を曲げたりしなければならなかった。また掬った土や雪を運ぶために曲げた膝や腰を伸ばさなければならなかった。このため腰や膝に負担がかかり疲労を生じやすかった。また手の平を横に向けた形でネックを把持しなければならないので手にも疲労を生じやすかった。【０００３】  （従来の技術）
ショベルを使用する時のこのような問題を解決するために、特開昭６０−１２９３２８号広報ではショベルのネックに固定したＴ字型ハンドルを取付け、あるいはＵ字型ハンドルを紐で取付け、あるいはショベルのネックとエンドグリップとにロープを取付け、あるいはショベルの掬い器にアーチ型のハンドルを取付ける技術を公開しているが、いずれも利便性が疑わしく、また産業上の価値が小さいものと言わざるをえない。【０００４】  特開昭６１−２８６３１号公報ではショベルのネックに取付けて梃子様に作動させるハンドル、あるいは掬い器に取付けたアーチ状のハンドルの技術を公開しているが、利便性が疑わしく、また産業上の価値が小さいものと言わざるをえない。【０００５】  特開昭６３−１０３１０７号公報ではブランコ様に作動させるショベルの技術を公開しているが、利便性が疑わしく、また産業上の価値が小さいものと言わざるをえない。【０００６】  実開平０３−１０８０４２号公報ではショベルのネックに取付けて固定されたＴ型ハンドルの技術を公開しているが、利便性が疑わしく、また産業上の価値が小さいものと言わざるをえない。【０００７】  特開２００５−３０２０１号公報ではショベルの掬い器に取付けて着脱できるアーチ状のハンドルの技術を公開しているが、利便性が疑わしく、また産業上の価値が小さいものと言わざるをえない。
【考案の開示】
【考案が解決しょうとする課題】
【０００８】  使用する時に腰や膝の曲げ伸ばしを少なくして疲労を軽減し、もって利便性と産業上の価値の大きいショベルの技術を提供すること。
【課題を解決するための手段】
【０００９】  本考案はショベルのネックにＵ字型のハンドルを取付け、このハンドルがネックに取付けた部分を中心に柄の長軸方向に自由に回転するようにしたことにより問題を解決している。
【考案の効果】
【００１０】  上述のように本考案のショベルでは一方の手は従来のようにエンドグリップを把持するが、もう一方の手はネックを把持せずにネックに取付けたハンドルのグリップを把持するので、土や雪を掬って運ぶ時にほとんど腰や膝を曲げ伸ばしする必要がない。またハンドルのグリップを手にぶら下げるような形で把持できるので楽に把持できる。したがって本考案のショベルを使用することにより身体的疲労を少なくして能率よく土や雪を掬い、また運ぶことができる。
【考案を実施するための最良の形態】
【００１１】  硬い、かつ丈夫な金属製などの棒を全体としてＵ字型に成型し、その中央の背中にあたる部分を直線となして木などの円柱の中心を通してグリップとし、当該グリップに接続する棒の両肢を当該グリップに近い個所で互いに平行をなすように直角に内側に曲げ、その先をさらに４５度程度内側に曲げ、またその先を互いに平行になるように４５度程度外側に曲げ、さらに両肢の先端を互いに向き合うように直角に曲げたものをハンドルとし、ショベルのネックの両側に横方向に孔を設け、当該ハンドルの先端の直角に曲げた部分をショベルのネックに設けた当該孔に挿入する。
【実施例】
【００１２】  以下、添付図面に従って一実施例を説明する。１０はこの考案のハンドル付ショベル本体、２０はハンドルである。【００１３】  ショベル本体１０は掬い器１１と柄１３、掬い器１１と柄１３を接続するネック１２、および柄１３に接続するエンドグリップ１４とからなる。【００１４】  ショベル本体１０の掬い器１１は先端が直線あるいは矢じり型でネック１２に向かって両側の縁と奥の縁が高くなるように成型されている。【００１５】  ハンドル２０はグリップ２１とグリップ２１に接続する肢２２，２３、および肢２２，２３に接続して内側に直角に曲げられた先端部分２４，２５とからなる。【００１６】  ハンドル２０の肢２２、２３はグリップ２１に接続する部分で互いに平行になるように直角に曲げられ、さらにその先で４５度程度内側に曲げられ、さらにその先で外側へ４５度程度曲げられているので、その先はショベル本体１０のネック１２よりやや広い間隔で互いに平行となっている。【００１７】  ハンドル２０の肢２２、２３にはブリッジ２６を設け、肢２２と肢２３の相互の間隔が開かないようにしている。【００１８】  ハンドル２０のグリップ２１は木などの円柱２７の中心を通っている。【００１９】  ショベル本体１０のネック１２の両側には横方向に孔１５，１６が設けてある。孔１５、１６の直径はハンドル２０の肢２２、２３の先端部分２４、２５の直径よりも少し大きくしてある。【００２０】  ハンドル２０の肢２２、２３の先端部分２４、２５はショベル本体１０のネック１２に設けた孔１５、１６に挿入してある。先端部分２４、２５の直径は孔１４、１５の直径より小さいので、ハンドル２０は先端部分２４、２５を中心としてショベル本体１０の柄１３の長軸方向に自由に回転させることができる。【００２１】  本考案の一実施例は上記の如き構成からなるものであるから、本考案のショベルを使って土や雪を掬って運ぶ時に、ハンドル２０のグリップ２１を片方の手で把持し、もう一方の手でショベルのエンドグリップ１４を把持すると、膝や腰を曲げ伸ばししなくても土や雪を掬い、運ぶことができる。【００２２】  またハンドル２０のグリップ２１が通った木などの円柱２７を手にぶら下げる形で把持することができるので手の疲労が少なくなる。【００２３】  またハンドル２０のグリップ２１を把持することにより作業者が立っている場所より低い場所で、たとえば下水溝の底部などで、掬い器１１を容易に持ち上げることができるので、低い場所にある土や泥を運び出すことが容易になる。【００２４】  また、ショベル本体１０を携行する時に、ハンドル２０をエンドグリップ１４の方向へ回転させてハンドル２０と柄１３を平行とさせ、ハンドル２０のグリップ２１をぶら下げるように把持するとショベル本体を持運ぶのが楽になる。【００２５】  本考案のショベルを収納のために立てた時、ハンドル２０はグリップ２１が自然に下へ回転して掬い器１１に収められる形になるので、ハンドル２０は本考案のショベルを収納するのに邪魔にならない。
【図面の簡単な説明】
【００２６】
【図１】本考案のハンドル付ショベルの全体を示す図である。
【図２】本考案のハンドルを示す図である。
【図３】本考案のショベルのネックに設けられた孔の部位における短軸方向の断面図である。
【図４】本考案のショベルを携行する方法を示す図である。
【図５】本考案のショベルを収納のために立てた時の図である。
【符号の説明】
【００２７】１０  ショベル本体
１１  掬い器
１２  ネック
１３  柄
１４  エンドグリップ
１５、１６  孔
２０  ハンドル本体
２１  ハンドルのグリップ
２２、２３  ハンドルの肢
２４、２５  ハンドルの肢の先端部分
２６  ブリッジ
２７  円柱
【図１】
0003131201.tif 000003
【図２】
0003131201.tif 000004
【図３】
0003131201.tif 000005
【図４】
0003131201.tif 000006
【図５】
0003131201.tif 000007